(57)【要約】      （修正有）【課題】どんな衣類にも、事前準備不要で簡単に着脱でき、嵩張らず、軽量で、着用していても、衣類本来のシルエットが崩れることのない、軽量でコンパクトな接着式保温シートを提供する。【解決手段】衣類の裏側に貼付する防寒シートであって、保温効果の高い布地からなる保温シート部１と、保温シート部の裏面に設けられ、幅１センチメートルから２センチメートルのテープ状の貼って剥がせる素材からなるジェル状接着剤からなる接着部２と、を有する。【選択図】図１
0003207799.tif 000002
【実用新案登録請求の範囲】
【請求項１】
衣類の裏側に貼付する防寒シートであって、
保温効果の高い布地からなるシート部と、
前記シート部の裏面に設けられ、幅１センチメートルから２センチメートルのテープ状の貼って剥がせる素材からなるジェル状接着剤からなる接着部と、
を有すること特徴とする貼付式保温シート。
【請求項２】
前記シート部は、略長方形状であって、前記接着部は、前記シート部の長手方向の２つ辺に沿って設けられていることを特徴とする請求項１に記載の貼付式保温シート。
【請求項３】
前記シート部は、多角形であって、前記接着部は、前記シート部の外縁近傍に設けられていることを特徴とする請求項１に記載の貼付式保温シート。
【考案の詳細な説明】
【技術分野】
【０００１】
本考案は、衣類の裏地に直接貼付して保温効果を高める接着式保温シートに関する。
【背景技術】
【０００２】
従来より、冬の寒い時期、また、季節の変わり目等で急に寒くなったときは、衣類を重ね着したり、冬用の防寒効果の高い衣類を着用する。衣類の中でも、防寒効果の高い衣類は、嵩張る素材でできているものが多く、コーディネートの幅が狭くなる。また、寒くなっても、薄手の衣類、春秋用のお洒落な衣類を、冬場も引き続き着用したいということがある。そのような場合は、衣類の裏側に、衣類用の貼付式使い捨てカイロを貼付したりして、寒さをしのぐが、貼付式使い捨てカイロは、重量と厚みがあるので、着用した際に、薄手の素材の衣類の場合、衣類が引っ張られて、衣類本来のシルエットが損なわれ、野暮ったくなる。そこで、軽量かつ嵩張らない着脱式保温シートとして、特許文献１のような、軽量起毛加工メッシュ生地に釦・ワッカー等の係止具を備えた、衣類と着脱可能な保温背当てが考案されている。
【先行技術文献】
【特許文献】
【０００３】
【特許文献１】実用新案登録第３１５１５３９号公報
【考案の概要】
【考案が解決しようとする課題】
【０００４】
しかし、特許文献１の保温背当ては、衣類背面に保温背当てを係止するための略Ｕ字状のワッカーを縫製しなければならず、どんな衣類にも着脱できるわけではない。着用前に、衣類に、略Ｕ字状のワッカーを縫製するのは大変な手間がかかる。
【０００５】
そこで、この考案の目的は、どんな衣類にも、事前準備不要で簡単に着脱でき、嵩張らず、軽量で、着用していても、衣類本来のシルエットが崩れることのない、軽量でコンパクトな接着式保温シートを提供する。
【課題を解決するための手段】
【０００６】
そこで、この考案の貼付式保温シートは、  衣類の裏側に貼付する防寒シートであって、保温効果の高い布地からなるシート部と、前記保温シート部の裏面に設けられ、幅１センチメートルから２センチメートルのテープ状のジェル状接着剤からなる接着部と、を有すること特徴とする。
【０００７】
この考案によれば、衣類の裏側に、貼付式保温シートを直接貼付すれば、簡単に衣類の保温効果を向上させることができる。また、貼付式保温シートは、嵩張らず軽量なので、衣類が貼付式保温シートの重さに引っ張られることがなく、洋服のシルエットが崩れない。寒い季節でも、春秋用の薄手の衣類を着用することができ、お洒落を楽しむことができる。
【０００８】
また、この考案の貼付式保温シートのシート部は、略長方形状であって、前記接着部は、前記保温シート部の長手方向の２つ辺に沿って設けられていることを特徴とする。
【０００９】
この考案によれば、貼付式保温シートの長手方向に沿って接着部が設けられているので、衣類を着用したとき接着部が衣類にしっかりと接着でき、動いたりしても剥がれにくい。
【００１０】
また、この考案の貼付式保温シートの前記シート部は、多角形であって、前記接着部は、前記保温シート部の外縁近傍に設けられていることを特徴とする。
【００１１】
この考案によれば、衣類の形状にあわせた貼付式保温シートを選択でき、衣類から貼付式保温シートがはみ出てしまうことがなく、効率よく衣類の保温効果を高めることができる。
【図面の簡単な説明】
【００１２】
【図１】この考案の実施の形態１にかかる貼付式保温シート１００の参考斜視図である。
【図２】図１に示した貼付式保温シート１００の斜視図である。
【図３】図１に示した貼付式保温シート１００の底面図である。
【図４】図１に示した貼付式保温シート１００の右側面図である。
【図５】図１に示した貼付式保温シート１００の正面図である。
【図６】（ａ）は、図１に示した貼付式保温シート１００を使用した状態を示す参考図であり、（ｂ）は、この考案の変形例１である貼付式保温シート１０１を使用した状態を示す参考図である。
【図７】この考案の実施の形態２にかかる貼付式保温シート２００の斜視図である。
【図８】図７に示した貼付式保温シート２００の底面図である。
【図９】図７に示した貼付式保温シート２００を使用した状態を示す参考図である。
【図１０】この考案の実施の形態３にかかる貼付式保温シート３００の斜視図である。
【図１１】図１０に示した貼付式保温シート３００の底面図である。
【図１２】図１０に示した貼付式保温シート３００を使用した状態を示す参考図である。
【図１３】この考案の実施の形態４にかかる貼付式保温シート４００の斜視図である。
【図１４】図１３に示した貼付式保温シート４００の底面図である。
【図１５】図１３に示した貼付式保温シート４００を使用した状態を示す参考図である。
【考案を実施するための形態】
【００１３】
以下、本考案の実施の形態について、図面を示しながら詳細に説明する。
（実施の形態１）
【００１４】
図１は、この考案の実施の形態１にかかる貼付式保温シート１００の参考斜視図である。図２は、図１に示した貼付式保温シート１００の斜視図であって、図３は、図１に示した貼付式保温シート１００の底面図である。図４は、図１に示した貼付式保温シート１００の右側面図であって、図５は、図１に示した貼付式保温シート１００の正面図である。
【００１５】
図１に示すように、貼付式保温シート１００は、略長方形状のシート部１と、シート部１の裏側に設けられた接着部２を主に有する。シート部１は、タオル素材、フリース素材その他の保温性の高い布地からなる。複数種類の布地を重ね合わせて長方形に縫製したものを用いても良い。実施の形態１の貼付式保温シート１００は、ズボンの裏地に貼り付けて使用するものなので、保温性と吸湿性を備えた生地を用いると良い。
【００１６】
図２に示すように、貼付式保温シート１００は、柔軟性を備えた布素材からなり、ズボンの裏側に貼り付けたときでも、足の動きに合わせて動くズボン生地に、よくフィットし剥がれにくい。また、薄い生地でできているので、軽量で足の動きを妨げない。
【００１７】
図３に示すように、貼付式保温シート１００の裏側には、左右両側の辺に沿って、一直線状に、接着剤を塗布された接着部２が設けられている。接着部２は、ジェル状の接着剤を塗布した接着部であって、接着剤は、貼ってはがせるタイプの接着剤、耐震用透明ジェル等、既存の接着剤が用いられている。接着剤の代わりに、両面テープを貼っておき、使い捨ての貼付式保温シート１００とすることもできる。
【００１８】
接着部２の幅は、０．５センチメートルから２センチメートルの間が良く、最適なものは、１センチメートル前後である。接着部２の幅が狭すぎると、十分な接着力が得られず、接着部２の幅が広すぎると、ズボン裏地に貼り付けたときに、ズボンのシルエットが変わってしまうため、十分な接着力が得られ、かつ、ズボンの裏地に貼り付けた際にズボンのシルエットを邪魔しないのは上述の幅の接着部２である。
【００１９】
図４に示すように、貼付式保温シート１００は、右側面視、幅の狭い長方形状であって、接着部２は、シート部１の上端近傍から下端近傍まで、切れ目なく設けられている。
【００２０】
図５に示すように、貼付式保温シート１００は、正面視、中央部分には接着部２が設けられておらず、左右両端近傍に、接着部２が設けられている。
【００２１】
次に、図６（ａ）を示しながら、貼付式保温シート１００の使用方法を説明する。図６（ａ）は、図１に示した貼付式保温シート１００を使用した状態を示す参考図である。
【００２２】
貼付式保温シート１００は、ズボンＺの裏地に、シート１の裏面すなわち接着部２が設けられた面を押し当てて接着し、ズボンＺに貼付式保温シート１００を固定する。図７に示すように、ズボンＺの裏地に貼付式保温シート１００を装着する際は、膝の部分を避けて、太もも近傍と膝下部分に貼りつけると良い。膝の部分は、貼付式保温シート１００を貼り付けてもはがれやすく、また、膝の部分に貼付式保温シート１００を貼付すると、動いた際に、ズボンＺが窮屈に感じるからである。
【００２３】
貼付式保温シート１００は、ズボンＺの前面の裏地のほか、後ろ側の裏地にも同時に貼付すると、保温効果を更に向上させることができる。ズボンＺの後ろ側の裏地に貼付する際は、膝の部分を避けて貼らなくても、上から下まで隙間なく貼付式保温シート１００を貼付しても良い。膝の後ろ部分に貼付する分には、膝の動きを邪魔しないからである。
【００２４】
（変形例１）
この考案の変形例１の貼付式保温シート１０１について、説明する。図６（ｂ）は、この考案の変形例１である貼付式保温シート１０１を使用した状態を示す参考図である。貼付式保温シート１０１は、実施の形態１の貼付式保温シート１００を縦方向に長くしたものであり、ズボンＺの前面裏地及び後面裏地に貼り付けて使用する。貼付式保温シート１０１は、太ももの上方から足首近傍まで、ひとつづきに覆える大きさを有しており、膝まわりも暖かくすることができる。また、上から下まで一体的に貼り付けることができるので、剥がれにくく、貼り付けの手間も少なくて済む。
【００２５】
（実施の形態２）
次に、図７から図９を示しながら、実施の形態２の貼付式保温シート２００について説明する。
【００２６】
図７は、この考案の実施の形態２にかかる貼付式保温シート２００の斜視図であって、図８は、図７に示した貼付式保温シート２００の底面図である。図９は、図７に示した貼付式保温シート２００を使用した状態を示す参考図である。
【００２７】
実施の形態２の貼付式保温シート２００は、ブラウスやシャツ等、前開きのトップスの前面に貼付して使用するためのものである。図７に示すように、実施の形態２の貼付式保温シート２００は、略長方形状のシート部１と接着剤が塗布された接着部２を主に有する。シート部１の形状は略長方形状であるが、長辺の長さが、実施の形態１のシート部１の長辺の長さよりも、長くなっている。シート部１の素材は、保温効果の高いタオル地やフリース生地でも良いし、風を通さず肌の熱を逃がさないポリエステルやビニール素材でも良い。貼付式保温シート２００は、シャツやブラウス等、トップスに使用するものであるので、洋服のシルエットを損なわない薄手の素材を用いることが望ましい。
【００２８】
図８に示すように、貼付式保温シート２００の裏側には、接着部２が設けられている。接着部２は、ジェル状の接着剤からなり、略長方形状のシート部１の裏面に、左右に二本、それぞれ長辺に沿って、略直線状に設けられている。接着部２は、耐震用ジェル等、貼って剥がせる素材の接着剤からなる。両面テープにしても良い。洋服の裏地に貼るので、接着力が強すぎず、剥がし跡が残りにくいものが良い。
【００２９】
図９に示すように、貼付式保温シート２００は、シャツＳの前身頃の裏面に、接着部２を押し当て、接着して使用する。貼付式保温シート２００は、軽量かつ薄い素材でできているため、シャツＳのシルエットを損なわず、お洒落を楽しみつつ、防寒することができる。
【００３０】
（実施の形態３）
次に、図１０から図１２を示しながら、実施の形態３の貼付式保温シート３００について説明する。
【００３１】
図１０は、この考案の実施の形態３にかかる貼付式保温シート３００の斜視図である。図１１は、図１０に示した貼付式保温シート３００の底面図である。図１２は、図１０に示した貼付式保温シート３００を使用した状態を示す参考図である。
【００３２】
実施の形態３の貼付式保温シート３００は、Ｖネックのカーディガンやセーター等のトップスの前面に貼付して使用するためのものである。図１０に示すように、実施の形態３の貼付式保温シート３００は、略長方形状のシート部１と接着剤が塗布された接着部２を主に有する。シート部１の形状は、上辺が下辺より短く、かつ、左右側辺が上下辺の２倍以上ある細長い四角形である。シート部１の素材は、保温効果の高いタオル地やフリース生地でも良いし、風を通さず肌の熱を逃がさないポリエステルやビニール素材でも良い。貼付式保温シート２００は、セーターやカーディガン等、トップスに使用するものであるので、洋服のシルエットを損なわない薄手の素材を用いることが望ましい。
【００３３】
図１１に示すように、貼付式保温シート３００の裏側には、接着部２が設けられている。接着部２は、ジェル状の接着剤からなり、シート部１の裏面に、左右のそれぞれ、側辺近傍に、略直線状に設けられている。接着部２は、耐震用ジェル等、貼って剥がせる素材の接着剤からなる。両面テープを用いても良い。洋服の裏地に貼るので、接着力が強すぎず、剥がし跡が残りにくいものが良い。
【００３４】
図１２に示すように、貼付式保温シート３００は、カーディガンＫの左右の前身頃の裏面に、接着部２を押し当て、接着して使用する。貼付式保温シート３００は、軽量かつ薄い素材でできているため、カーディガンＫのシルエットを損なわず、お洒落を楽しみつつ、防寒することができる。
【００３５】
（実施の形態４）
次に、図１３から図１５を示しながら、実施の形態４の貼付式保温シート４００について説明する。
【００３６】
図１３は、この考案の実施の形態４にかかる貼付式保温シート４００の斜視図である。図１４は、図１３に示した貼付式保温シート４００の底面図である。図１５は、図１３に示した貼付式保温シート４００を使用した状態を示す参考図である。
【００３７】
実施の形態４の貼付式保温シート４００は、シャツやカーディガン等、トップスの背面の裏地に貼付して使用するためのものである。図１３に示すように、実施の形態３の貼付式保温シート４００は、略長方形状のシート部１と接着剤が塗布された接着部２を主に有する。シート部１の形状は略長方形状であり、寸法は、洋服の背面に貼付可能な大きさとなってる。シート部１の素材は、保温効果の高いタオル地やフリース生地でも良いし、風を通さず肌の熱を逃がさないポリエステルやビニール素材でも良い。貼付式保温シート４００は、シャツやブラウス等、トップスの背面に使用するものであるので、洋服のシルエットを損なわない薄手の素材を用いることが望ましい。
【００３８】
図１４に示すように、貼付式保温シート４００の裏側には、接着部２が設けられている。接着部２は、ジェル状の接着剤からなり、略長方形状のシート部１の裏面に、左右及び中央に三本、それぞれシート部１の上端近傍から下端近傍まで、略直線状に設けられている。接着部２は、耐震用ジェル等、貼って剥がせる素材の接着剤からなる。両面テープにしても良い。洋服の裏地に貼るので、接着力が強すぎず、剥がし跡が残りにくいものが良い。
【００３９】
図１５に示すように、貼付式保温シート４００は、カーディガンＫの後ろ身頃の裏面に、接着部２を押し当て、接着して使用する。貼付式保温シート４００は、軽量かつ薄い素材でできているため、カーディガンＫのシルエットを損なわず、お洒落を楽しみつつ、防寒することができる。
【００４０】
以上本考案の貼付式保温シートについて詳細に説明したが、本考案は、上記実施形態に限定されるものではなく、本考案の要旨を逸脱しない範囲において、各種の改良や変更を行ってもよい。
【符号の説明】
【００４１】
１００，１０１，２００，３００ 貼付式保温シート
１          シート部
１１                表面
１２                  裏面
１３                上辺
１４                下辺
１５                側辺
２        接着部
２１                上端
２２                下端
Ｓ         シャツ
Ｋ           カーディガン
Ｚ           ズボン
【図１】
0003207799.tif 000003
【図２】
0003207799.tif 000004
【図３】
0003207799.tif 000005
【図４】
0003207799.tif 000006
【図５】
0003207799.tif 000007
【図６】
0003207799.tif 000008
【図７】
0003207799.tif 000009
【図８】
0003207799.tif 000010
【図９】
0003207799.tif 000011
【図１０】
0003207799.tif 000012
【図１１】
0003207799.tif 000013
【図１２】
0003207799.tif 000014
【図１３】
0003207799.tif 000015
【図１４】
0003207799.tif 000016
【図１５】
0003207799.tif 000017